【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
第１の無線通信手段を有する放射線発生装置と、
第１の無線通信手段と無線通信が可能な第２の無線通信手段を有する放射線検出装置と、
前記放射線発生装置と前記放射線検出装置との間で、無線通信により直接情報のやり取りを行う放射線撮像システムであって、
前記放射線検出装置は単一の筐体からなり、該筐体内に保存手段を有しており、
前記放射線発生装置は、放射線の照射後に、前記放射線検出装置に対して撮影実施情報を送信し、
撮影した放射線画像に対して、前記撮影実施情報を対応させた画像データを生成し、
前記画像データを前記保存手段に保存すること、
を特徴とする放射線撮像システム。
【請求項２】
前記放射線検出装置は単一の筐体からなり、該筐体内に前記第２の無線通信手段および前記保存手段が配置されている事を特徴とする、請求項１に記載の放射線撮像システム。
【請求項３】
前記放射線検出装置は、情報入力手段と表示手段を備えていることを特徴とする、請求項１または２に記載の放射線撮像システム。
【請求項４】
前記放射線検出装置は、前記情報入力手段より撮影条件を入力することが可能であり、入力された前記撮影条件を前記保存手段に保存することを特徴とする、請求項１乃至３のいずれか１項に記載の放射線撮像システム。
【請求項５】
前記放射線検出装置は、外部インターフェースを備えることを特徴とする、請求項１乃至４のいずれか１項に記載の放射線撮像システム。
【請求項６】
前記放射線検出装置は、前記外部インターフェースを介して、情報装置と接続することが可能であることを特徴とする、請求項５に記載の放射線撮像システム。
【請求項７】
前記放射線検出装置は、前記情報装置から撮影条件を送信され、送信された撮影条件を前記保存手段に保存することを特徴とする、請求項６に記載の放射線撮像システム。
【請求項８】
放射線画像の撮影前に、前記保存手段に保存された撮影条件を前記放射線発生装置に対して送信することを特徴とする、請求項１乃至７のいずれか１項に記載の放射線撮像システム。
【請求項９】
前記放射線発生装置は、前記撮影条件に基づいて放射線を発生させることを特徴とする、請求項１乃至８のいずれか１項に記載の放射線撮像システム。
【請求項１０】
前記放射線検出装置は、前記保存手段に保存された前記画像データを前記情報装置に送信することを特徴とする、請求項１乃至９のいずれか１項に記載の放射線撮像システム。
【請求項１１】
前記放射線発生装置と前記放射線検出装置との間でやり取りを行う情報は、
前記放射線発生装置からの放射線の照射の開始のタイミング叉は放射線の照射の終了を、前記放射線検出装置に対して通知する信号である同期信号を含むことを特徴とする、請求項１乃至１０のいずれか１項に記載の放射線撮像システム。
【請求項１２】
前記放射線検出装置は、照射された放射線の総量を計測するための放射線計測手段を有することを特徴とする、請求項１乃至１１のいずれか１項に記載の放射線撮像システム。
【請求項１３】
前記放射線計測手段で計測された放射線の照射線量に基づいて、前記放射線発生装置に対して、放射線の照射の終了をさせるための信号を第２の無線通信手段により送信することを特徴とする、請求項１２に記載の放射線撮像システム。
【請求項１４】
前記撮影実施情報は、前記放射線の照射の終了を求める信号の送信後に、前記放射線発生装置から前記放射線検出装置に対して送信されることを特徴とする、請求項１３に記載の放射線撮像システム。
【請求項１５】
前記放射線発生装置は、可搬型の放射線発生装置であることを特徴とする、請求項１乃至１４のいずれか１項に記載の放射線撮像システム。
【請求項１６】
前記放射線発生装置は、回診車に搭載されていることを特徴とする、請求項１乃至１５のいずれか１項に記載の放射線撮像システム。
【請求項１７】
前記第１および第２の無線通信手段は、近距離無線通信手段であることを特徴とする請求項１乃至１６のいずれか１項に記載の放射線撮像システム。
【請求項１８】
前記放射線検出装置は第３の無線通信手段を備え、
前記第３の無線通信手段によって前記放射線検出装置と接続可能な複数の端末装置のうち、１台の端末装置からの登録信号を受信して登録を行う手段を有し、
前記登録された端末から撮影条件を受け取り、
前記登録された端末に対して、前記保存手段に保存された前記画像データを送信することを特徴とする、請求項１乃至１７のいずれか１項に記載の放射線撮像システム。
【請求項１９】
前記第３の無線通信手段は、前記第１および第２の無線通信手段とは異なるＳＳＩＤを割り当てられていることを特徴とする、請求項１８に記載の放射線撮像システム。
【請求項２０】
外部装置と無線通信する可搬型の放射線撮影装置であって、
放射線発生装置により照射された放射線の線量に応じて電荷を発生させる複数の検出素子が配列された放射線検出器と、
前記放射線発生装置により照射される放射線の照射条件を受信する無線通信手段と、
前記受信された照射条件と前記放射線検出器により得られた電荷に基づく放射線画像データとを関連付けて記憶する記憶手段と、
前記放射線検出器と、前記無線通信手段と、前記記憶手段とを収納する筐体と、
を有することを特徴とする放射線撮影装置。
【請求項２１】
前記無線通信手段は、前記放射線が照射される前に前記外部装置から前記照射条件を受信する請求項２０に記載の放射線撮影装置。
【請求項２２】
前記無線通信手段は、前記放射線が照射される後に前記外部装置から前記照射条件を受信する請求項２１に記載の放射線撮影装置。
【請求項２３】
前記無線通信手段は、前記記憶された放射線画像データを前記照射条件とともに端末装置に送信する請求項２０乃至２２のいずれか１項に記載の放射線撮影装置。
【請求項２４】
前記無線通信手段は、被検者情報を前記外部装置から前記発生条件とともに受信し、
前記記憶手段は、前記被検者情報及び前記発生条件、並びにこれらを関連付ける関連付け情報を記憶することを特徴とする請求項２０乃至２３のいずれか１項に記載の放射線撮影装置。
【請求項２５】
前記外部装置は、前記放射線発生装置であることを特徴とする請求項２０乃至２４のいずれか１項に記載の放射線撮影装置。
【請求項２６】
放射線発生装置と無線通信が可能な無線通信手段を有する放射線撮影装置であって、
放射線発生装置により照射された放射線の線量に応じて電荷を発生させる複数の検出素子が配列された放射線検出器と、
前記放射線検出器の一部に構成され、放射線発生装置により照射された放射線の線量を計測するための放射線計測手段と、を有し、
前記無線通信手段は、前記放射線計測手段により計測された放射線の線量を放射線発生装置に報知することを特徴とする放射線撮影装置。
【請求項２７】
前記無線通信手段は、前記放射線計測手段により計測された放射線の線量が所定の線量に到達した場合に、放射線発生装置に該放射線の線量に基づいて照射を停止させるための信号を報知することを特徴とする請求項２６に記載の放射線撮影装置。
【請求項２８】
前記放射線計測手段により計測された放射線の線量を前記放射線検出器により得られた電荷に基づく放射線画像データと関連付けて記憶する記憶手段を更に有することを特徴とする請求項２６叉は２７に記載の放射線撮影装置。